(57)【要約】【課題】  画像データ、音声データ等のデータを効率良くフラッシュメモリ等のメモリカード及び磁気ハードディスクを用いたＨＤＤ装置に記録するようにした電子機器を提供する。【解決手段】  撮像して得たデータを電気信号に変換して撮像信号とし、この撮像信号をデジタル変換して所定フォーマットの圧縮データとして記録する電子機器１００において、ＨＤＤ１１９およびメモリーカード１１２へ画像データまたは音声データを記録し、再生する記録再生手段を備え、ＨＤＤ１１９へのデータ記録と、メモリーカード１１２へのデータ記録とを異なる記録方法にて実行する。【選択図】      図２
2006107547.tif 000002
【特許請求の範囲】
【請求項１】
撮像して得たデータを電気信号に変換して撮像信号とし、この撮像信号をデジタル変換して所定フォーマットの圧縮データとして記録する電子機器において、
磁気ハードディスク装置およびメモリーカードへ画像データまたは音声データを記録し、再生する記録再生手段を備え、
前記磁気ハードディスク装置へのデータ記録と、前記メモリーカードへのデータ記録とを異なる記録方法にて実行することを特徴とする電子機器。
【請求項２】
前記磁気ハードディスク装置へのデータ記録時、記録するデータを一時的に蓄積するバッファメモリのメモリ領域を第１のメモリ領域と第２のメモリ領域の複数に分割し、前記第１のメモリ領域へのデータ蓄積が完了後、第２のメモリ領域へ記録データの蓄積を行うと共に、この第２のメモリ領域へのデータ蓄積が開始した時に前記第１のメモリ領域に蓄積されたデータを前記磁気ハードディスク装置に記録することを特徴とする請求項１記載の電子機器。
【請求項３】
請求項２記載の電子機器において、前記第１のメモリ領域に蓄積されたデータを前記磁気ハードディスク装置に記録完了した際、前記第２のメモリ領域へのデータ蓄積が完了していない場合には前記磁気ハードディスク装置をスリープ状態にすることを特徴とする電子機器。
【請求項４】
請求項１記載の電子機器において、前記磁気ハードディスク装置は本体に内蔵されていることを特徴とする電子機器。
【請求項５】
撮像して得たデータを電気信号に変換して撮像信号とし、この撮像信号をデジタル変換して所定フォーマットの圧縮データとして記録する電子機器のデータ記録方法において、
磁気ハードディスク装置およびメモリーカードへ画像データまたは音声データを記録し、再生するステップと、
前記磁気ハードディスク装置へのデータ記録と、前記メモリーカードへのデータ記録とを異なる記録方法にて実行するステップとを有する電子機器のデータ記録方法。
【請求項６】
前記磁気ハードディスク装置へのデータ記録時、記録するデータを一時的に蓄積するバッファメモリのメモリ領域を第１のメモリ領域と第２のメモリ領域の複数に分割し、前記第１のメモリ領域へのデータ蓄積が完了後、第２のメモリ領域へ記録データの蓄積を行うと共に、この第２のメモリ領域へのデータ蓄積が開始した時に前記第１のメモリ領域に蓄積されたデータを前記磁気ハードディスク装置に記録することを特徴とする請求項５記載の電子機器のデータ記録方法。
【請求項７】
請求項６記載の電子機器のデータ記録方法において、前記第１のメモリ領域に蓄積されたデータを前記磁気ハードディスク装置に記録完了した際、前記第２のメモリ領域へのデータ蓄積が完了していない場合には前記磁気ハードディスク装置をスリープ状態にすることを特徴とする電子機器のデータ記録方法。
【発明の詳細な説明】
【技術分野】
【０００１】
本発明は、電子カメラ装置等のデータを記録メディアに記録する機能を備えた電子機器に関し、特に、記録メディアに記録された画像データ、音声データ等のデータをフラッシュメモリ等のメモリカード及び磁気ハードディスクを用いたＨＤＤ（Ｈａｒｄ  Ｄｉｓｋ  Ｄｒｉｖｅ）装置に記録するようにした電子機器に関する。
【背景技術】
【０００２】
撮像素子として、ＣＣＤ（Charge Coupled Device）等の固体撮像素子を用い、撮像した画像データあるいは音声データをフラッシュメモリ等の不揮発性メモリカードを記録メディアとして記録するようにした電子カメラ装置が市場に登場して久しいが、撮影素子の高解像度化、記録メディアの大容量化が進み、最近では、静止画像データだけでなく、動画像データ、音声データを記録メディアに記録させる機能を持った製品が市場に提供されつつある。
【０００３】
そのため、記録メディアとしてメモリーカードだけでなく、磁気ハードディスクを用いたＨＤＤ（Ｈａｒｄ  Ｄｉｓｋ  Ｄｒｉｖｅ）装置にも記録できるようにしたものも提供されている。
【０００４】
特許文献１には、ビデオカメラまたはスチルカメラのような映像記録装置またはこれに再生機能を付加した映像記録装置に関し、特にＰＣ（ Personal Computer memory ）カード型の記録媒体を用いた信号記録装置に映像信号を記録または再生する映像記録装置の信頼性向上，消費電力低減及び小型化に関する発明が記載されている。
【０００５】
具体的には、ＰＣカード型の磁気ハードディスク装置（ＨＤＤ＝ Hard Disk Drive ）を用いると、このＨＤＤは、撮影期間の全域で記録動作状態となるので、消費電力が多くなって大容量の電源（バッテリー）が必要となり、また、消費電力が多いことから発熱量も多くなって高温となるために、温度対策も複雑になり、これらは、映像記録再生装置の小型・軽量化をも阻害する、といった課題が挙げられ、その問題を解決する方法として、４Ｍビットのバッファメモリを使用し、データを４Ｍビット毎（２．３３秒周期）でＨＤＤに書き込みすることで、その書き込み周期（２．３３秒）から実際の書き込み時間（０．７２秒）を差し引いた時間だけＨＤＤを休止させることができ、省電力化と衝撃に対する信頼性を向上させることができる装置が示されている。
【特許文献１】特開平９−２７０９８５号公報
【発明の開示】
【発明が解決しようとする課題】
【０００６】
しかしながら、特許文献１記載の装置では、ＰＣカード型のＨＤＤの代わりにメモリカードが挿入された場合にもＨＤＤへの記録と同じように制御される。この方法によれば、例えばより省電力効果を得るため、記録媒体への書き込み周期を長く、つまり一度に書き込むデータ量を増やすようにすると、ＨＤＤへの記録時にはより省電力化が図れる一方、メモリーカードが挿入された場合にはその記録速度との関係から、データの記録時間を長く要してしまうことになり、結局使い勝手の良くない装置となってしまう。
【０００７】
そこで、本発明の目的は、画像データ、音声データ等のデータを効率良くフラッシュメモリ等のメモリカード及び磁気ハードディスクを用いたＨＤＤ（Ｈａｒｄ  Ｄｉｓｋ  Ｄｒｉｖｅ）装置に記録するようにした電子機器を提供することにある。
【課題を解決するための手段】
【０００８】
本発明の電子機器は、撮像して得たデータを電気信号に変換して撮像信号とし、この撮像信号をデジタル変換して所定フォーマットの圧縮データとして記録する電子機器において、磁気ハードディスク装置およびメモリーカードへ画像データまたは音声データを記録し、再生する記録再生手段を備え、前記磁気ハードディスク装置へのデータ記録と、前記メモリーカードへのデータ記録とを異なる記録方法にて実行することを特徴とする。
【発明の効果】
【０００９】
本発明によれば、画像データ、音声データ等のデータを効率良くフラッシュメモリ等のメモリカード及び磁気ハードディスクを用いたＨＤＤ（Ｈａｒｄ  Ｄｉｓｋ  Ｄｒｉｖｅ）装置に記録するようにした電子機器を提供することができる。
【発明を実施するための最良の形態】
【００１０】
以下、本発明の一実施例である電子カメラ装置について図面を参照しながら説明する。
【実施例１】
【００１１】
図１は、電子カメラ装置１００の外観を示す斜視図であり、筐体２０１の前面に光学系１０１の一部を構成するレンズ２０２と、光学ファインダー２０３が設けられ、筐体２０１の頂部表面にシャッターボタン２０４が設けられると共に、コネクタ１１７を収容する収容部を覆う蓋部材２０５が頂部表面の長手方向にスライド自在に設けられている。
【００１２】
図２は、電子カメラ装置１００の構成を示す回路ブロック図である。
図２において、１０１はレンズを有する光学系であり、ＣＣＤ（Charge Coupled Device）を撮像素子とするＣＣＤ撮像部１０２の光電変換面に光学像を結像する。ＣＣＤ撮像部１０２は、光電変換面に結像された光学像を電気信号に変換して撮像信号として出力する。Ａ／Ｄ（Analog Digital）変換部１０３は、ＣＣＤ撮像部１０２から出力される撮像信号をデジタル信号に変換し、ＣＣＤ信号処理部１０４に導出する。ＣＣＤ信号処理部１０４は、Ａ／Ｄ変換部１０３からの撮像信号に対して、ホワイトバランス調整処理、ガンマ補正処理、補間処理、色変換処理等の処理を施して画像信号として出力する。
【００１３】
ＣＣＤ信号処理部１０４から出力される画像信号は、メモリコントローラ１０５に供給され、メモリコントローラ１０５に接続されているワークメモリ１０６に一旦保存される。ワークメモリ１０６に保存された画像信号は、メモリコントローラ１０５を介して画像表示処理部１０７に供給されてここで、例えば標準テレビジョン信号等の映像信号に変換されて、表示部１０８で表示される。
【００１４】
表示部１０８は、例えば数インチの大きさのＬＣＤ（Liquid Crystal Display）であり、以上説明した処理によって、ＣＣＤ撮像部１０２で撮影された画像をモニタすることができる。
【００１５】
さらに、メモリコントローラ１０５には、画像圧縮／伸張処理部１０９が接続されており、この画像圧縮／伸張処理部１０９は、ワークメモリ１０６に保存されたＣＣＤ信号処理部１０４からの画像信号を例えばＪＰＥＧ（Joint Photographic Experts Group）あるいはＭＰＥＧ（Moving Picture Experts Group）規格に基づいて圧縮（エンコード）処理を施す。あるいは、後述するメモリカードから再生された圧縮データを、伸張（デコード）する処理を施す。
【００１６】
画像圧縮／伸張処理部１０９はその処理を実行する際に、メモリコントローラ１０５を利用するものであり、メモリコントローラ１０５はその場合、ＤＳＰ（Digital Signal Processor）として機能する。画像信号の圧縮／伸張処理を実行するために、画像圧縮／伸張処理部１０９及びメモリコントローラ１０５はＣＰＵ（Central Processing Unit）１１０によって制御される。
【００１７】
ＣＰＵ１１０は、電子カメラ装置１００全体の動作、機能の管理を行なうものであり、画像の撮像及び前述の画像圧縮／伸張を含む画像信号の処理を制御すると共に、後述するメモリカードへのデータの記録再生処理を制御し、音声信号処理を制御し、またユーザの操作に基づく処理を制御するものである。
【００１８】
このため、ＣＰＵ１１０は、メモリコントローラ１０５及び画像圧縮／伸張処理部１０９の他、光学系１０１、ＣＣＤ撮像部１０２、ＣＣＤ信号処理部１０４に接続されている。
【００１９】
光学系１０１については、ＣＰＵ１１０によって、例えば光学ズーム倍率の調整、絞り調整等が行われ、ＣＣＤ撮像部１０２に対しては、電子シャッタ駆動制御、ＣＣＤ駆動制御等が実行され、ＣＣＤ信号処理部１０４については、自動ホワイトバランス調整、色変換等の制御が行なわれる。
【００２０】
ＣＰＵ１１０は、さらに、記録メディアＩ／Ｆ（Interface）１１１を介してフラッシュメモリ等で構成されるメモリカード１１２および内臓されたＨＤＤ１１９（磁気ハードディスク装置）に接続され、メモリカード１１２およびＨＤＤ１１９に対するデータの書き込み、読み出しを制御する。
【００２１】
さらにＣＰＵ１１０は、音声入出力処理部１１３を介してマイク１１４とスピーカ１１５が接続され、マイク１１４でピックアップされた音声データのメモリカード１１２或いはＨＤＤ１１９への書き込みと、メモリカード１１２或いはＨＤＤ１１９から再生された音声データのスピーカ１１５からの再生を制御する。
【００２２】
音声入出力処理部１１３は、ＣＰＵ１１０の制御の下、マイクからの音声信号を一定レベルに制御する自動利得制御回路と、レベル制御された音声信号をデジタル信号に変換する変換器と、メモリカード１１２或いはＨＤＤ１１９から再生された音声データに対して音量調整等の処理を施す利得調整回路と、デジタル信号をアナログ信号に変換する変換器と、スピーカ１１４を駆動するための音声出力回路等を含む。
【００２３】
メモリカード１１２は、例えば、電子カメラ装置１００に対して着脱自在に構成されたリムーバルメディアであり、ＣＰＵ１１０の制御の下、例えばＤＣＦ（Design rule for Camera File system）に準じたファイルシステムで管理されるデジタルカメラ用画像ファイルフォーマット規格であるＥｘｉｆ（Exchangeable Image File Format）に基づくフォーマットで、データをファイルとして記録し、かつ再生する。このメモリカード１１２へのデータ記録速度は１ＭＢ（メガバイト）／秒程度、つまり８Ｍｂｐｓ程度である。
【００２４】
ＨＤＤ１１９は、筐体２０１内に内臓されており、磁気ハードディスク、磁気ハードディスク回転駆動モータ、サーボ回路、磁気記録・再生ヘッド等から構成されており、メモリカード１１２と同様に所定のフォーマットでデータをファイルとして記録し、かつ再生する。ＨＤＤ１１９へのデータ記録速度は１２．５ＭＢ／秒（１００Ｍｂｐｓ）程度と高速である。
【００２５】
さらにＣＰＵ１１０には、ユーザが操作する複数の操作ボタンで構成される操作部１１８が接続されている。操作ボタンとしては、シャッターを駆動するためのシャツターボタン、静止画を撮影するのか動画を撮影するのか等撮影のモードを切換えるモード切換えボタン、設定メニューを表示させるためのメニューボタン、記録した画像データを再生する再生ボタン、カーソル移動、項目選択等に適用される十字ボタン等を含む。
【００２６】
ＣＰＵ１１０の以上の処理は、所定のプログラムに基づいて実行されるものであり、ＣＰＵ１１０は、内部にそのプログラムを保存するためのＲＯＭ（Read Only Memory）と、ワークメモリとしてのＲＡＭ（Random Access Memory）が設けられ、さらに設定データ等を保存するための不揮発性メモリも設けられている。
【００２７】
以上のように構成される電子カメラ装置１００において、まず基本的な動作について説明する。
ユーザは、最初に操作部１１８の所定のボタンを操作して、電子カメラ装置１００を例えば、静止画像撮影モードに設定する。その後、前述したように、ＣＣＤ撮像部１０２で撮影されている信号を、Ａ／Ｄ変換部１０３、ＣＣＤ処理部１０４、メモリコントローラ１０５及び画像処理部１０７を経て、表示部１０８で表示してモニタに供している状態において、操作部１１８のシャッターボタンを押すと、ＣＰＵ１１０は、ＣＣＤ撮像部１０３に蓄積された電荷を一旦クリアして、その後新たに蓄積された電荷を一画面分、順次、撮像信号として出力し、それが、Ａ／Ｄ変換部１０３、ＣＣＤ処理部１０４で処理を受けて、画像信号としてメモリコントローラ１０５を介してワークメモリ１０６に一旦蓄積される。
【００２８】
次に、ＣＰＵ１１０は、メモリコントローラ１０５と画像圧縮／伸張処理部１０９を駆使して、ワークメモリ１０６に蓄積されている画像信号をＪＰＥＧ規格に基づいて圧縮し、圧縮した画像データをメモリコントローラ１０５を介して取り込んで、記録メディアＩ／Ｆ１１１を介してメモリカード１１２にＥｘｉｆファイルとして書き込む。
【００２９】
以上によって、静止画像の記録処理が完了する。記録した静止画像を再生するには、ユーザが操作部１１８の再生ボタンを操作すると、それによって、ＣＰＵ１１０は、記録メディアＩ／Ｆ１１１を駆使して、メモリカード１１２に記録されている静止画データのファイルの一覧情報を読み出して、これをメモリコントローラ１０５から画像表示部１０７に送って、表示用の信号に変換して、リストとして表示部１０８に表示させる。
【００３０】
このリストは、ＧＵＩ（Graphical User Interface）形式で構成されており、ユーザは、操作部１１８の例えば十字ボタンを操作して、リストから再生したいファイルを選択して、決定ボタンを操作する。
【００３１】
ＣＰＵ１１０は、それによって、記録メディアＩ／Ｆ１１１を駆使して、選択されたファイルをメモリカード１１２から読み出して取り込み、さらにメモリコントローラ１０５を介してワークメモリ１０６に記憶させる。
【００３２】
さらに、ＣＰＵ１１０は、メモリコントローラ１０５と画像圧縮／伸張処理部１０９を駆使して、ワークメモリ１０６に蓄積された画像データの伸張（デコード）処理を実行し、伸張した画像データをワークメモリ１０６に記憶させる。次いで、ＣＰＵ１１０は、ワークメモリ１０６から画像データを読み出して、メモリコントローラ１０５を介して画像表示処理部１０７に送り、表示のための処理を施して表示部１０８で表示させる。
【００３３】
次に動画像をメモリカード１１２に記録する場合について説明する。ユーザは操作部１１８のモード切換えボタンによって、動画モードに設定し、シャッターボタンを押す。動画像として６Ｍｂｐｓのビットストリームデータを記録することができる。
【００３４】
ＣＰＵ１１０はそれを受けて、ＣＣＤ撮影部１０２で撮影され、Ａ／Ｄ変換部１０３、ＣＣＤ信号処理部１０４、メモリコントローラ１０５を介してワークメモリに蓄積されている画像信号に対して、メモリコントローラ１０５と画像圧縮／伸張処理部１０９によってＭＰＥＧ規格に基づく圧縮処理を施す。
【００３５】
さらに、このときＣＰＵ１１０は、マイク１１４でピックアップされ、音声入出力処理部でデジタル信号に変換された音声信号に対して、圧縮処理を施して、圧縮処理された動画像信号とマルチプレクスして所定のフォーマットに纏め、データをバッファメモリ１２０に転送（バッファリング）する。バッファメモリ１２０に６４ＫＢのデータが溜まる毎に、記録メディアＩ／Ｆ１１１を介して、データがメモリカード１１２に記録される。
【００３６】
以上の処理は、次にシャッターボタンが操作されるまで継続的に実行され、シャッターボタンが操作されると、ＣＰＵ１１０は、メモリカード１１２への記録を停止させる。それによって、メモリカード１１２に動画像及び音声データのファイルが記録されることになる。おな、音声信号については、必ずしも動画像信号と一緒に記録しなくてはならないというものではなく、動画像のみで記録してもよく、あるいは音声信号のみをファイルとして記録するようにしてもよいものである。
【００３７】
以上のようにしてメモリカード１１２に記録された、音声信号が添付された動画像信号を再生する場合には、ユーザは、再生ボタンを押す。それによって、ＣＰＵ１１０は、メモリカード１１２から、動画像ファイルの一覧を読み出して、これをメモリコントローラ１０５を介して画像表示処理部１０７に送り、ＧＵＩ形式の表示用の画像信号に変換して表示部１０８で表示させる。
【００３８】
ユーザは、操作部１１８の例えば十字ボタンを操作して、表示されたリストから所望のファイルを選択して、決定ボタンを操作する。それによって、ＣＰＵ１１０は、選択されたファイルをメモリカード１１２から読み出して、デマルチプレクス処理によって圧縮動画像データを分離し、メモリコントローラ１０５を介して順次ワークメモリ１０６に記憶させつつ、画像圧縮／伸張処理部１０９を駆使して、それを伸張して非圧縮の画像信号として順次ワークメモリ１０６に記憶させていく。同時に、ワークメモリ１０６から非圧縮の動画像信号を順次読み出して、メモリコントローラ１０５を介して画像表示処理部１０７に送り、表示用の映像信号に変換して、表示部１０８で動画像として表示させる。
【００３９】
同時にＣＰＵ１１０は、メモリカード１１２から、読み出されたファイルのデータからデマルチプレクス処理によって圧縮音声データを抽出し、これを伸張して音声入出力処理部１１３に送り、でアナログ信号に変換して、スピーカ１１４から音声として出力する。
【００４０】
以上の処理によって音声付の動画像の再生が実行される。
次に動画像をＨＤＤ１１９に記録する場合について説明する。ユーザは操作部１１８のモード切換えボタンによって、動画モードに設定し、シャッターボタンを押す。動画像として６Ｍｂｐｓのビットストリームデータを記録することができる。
【００４１】
ＣＰＵ１１０はそれを受けて、ＣＣＤ撮影部１０２で撮影され、Ａ／Ｄ変換部１０３、ＣＣＤ信号処理部１０４、メモリコントローラ１０５を介してワークメモリに蓄積されている画像信号に対して、メモリコントローラ１０５と画像圧縮／伸張処理部１０９によってＭＰＥＧ規格に基づく圧縮処理を施す。
【００４２】
さらに、このときＣＰＵ１１０は、マイク１１４でピックアップされ、音声入出力処理部でデジタル信号に変換された音声信号に対して、圧縮処理を施して、圧縮処理された動画像信号とマルチプレクスして所定のフォーマットに纏め、データをバッファメモリ１２０に転送（バッファリング）する。バッファメモリ１２０は図３に示すように１６ＭＢのメモリ領域４０１と同じく１６ＭＢのメモリ領域４０２のダブルバッファ構成で管理される。最初のデータはメモリ領域４０１に蓄積され、このメモリ領域４０１へのバッファリングが終了するとメモリ領域４０２へのバッファリングが開始される。同時に、メモリ領域４０１に蓄積されたデータが、記録メディアＩ／Ｆ１１１を介して、ＨＤＤ１１９に書き込まれる。１６ＭＢのメモリ領域４０１へは、６Ｍｂｐｓのビットストリームデータを約２１秒分バッファすることができるが、メモリ領域４０１にバッファリングされたデータのＨＤＤ１１９への書き込み処理は、ＨＤＤ１１９のモータを起動するオーバヘッドを含めても５秒程度で終了するため、メモリ領域４０２へ次のデータをバッファリング中の残り約１６秒間はＨＤＤ１１９をスリープ状態、つまりヘッドを待避させ、磁気ハードディスク回転駆動用モータを停止させる。その後メモリ領域４０２にデータが溜まり、再度メモリ領域４０１へのデータのバッファリングが始まると、メモリ領域４０２にバッファリングされたデータをＨＤＤ１１９へ書き込む。同様に約５秒間で書き込みが終了するため、終了後はＨＤＤ１１９をスリープ状態とする。
【００４３】
以上の処理は、次にシャッターボタンが操作されるまで継続的に実行され、シャッターボタンが操作されると、ＣＰＵ１１０は、ＨＤＤ１１９への記録を停止させる。それによって、ＨＤＤ１１９に動画像及び音声データのファイルが記録されることになる。
【００４４】
図３は、本実施例の記録方法を適用してＨＤＤ１１９へデータを記録した場合の電力消費量を示すグラフＡと、例えばメモリカード１１２への記録方法をＨＤＤ１１９に適用した場合の電力消費量を示すグラフＢとの比較を示す図である。
【００４５】
図３に示すように、メモリカード１１２への記録方法（前述の６４ＫＢ毎に書き込みを行う方法）を、そのままＨＤＤ１１９への書き込みに適用すると、ＨＤＤ１１９が常にスタンバイ状態、つまりモータを駆動させ、ヘッドを所定位置において書き込みがすぐにできる状態を保つ必要があるため、消費電力量が多くなる。
【００４６】
以上本実施例によれば、ＨＤＤ１１９へのデータ記録方法と、メモリカード１１２へのデータ記録方法を個別に異なる方法としているため、省電力化が図れると共に、データ記録時間を短くするよう最適化を図ることができる。
【００４７】
また、ＨＤＤ１１９は内臓されているため、採用するＨＤＤ１１９固有の特性に合わせてバッファメモリ１２０の容量や、書き込み周期等を最適に設定することができ、ＰＣカード型のＨＤＤを利用する場合に比べて最適設計が容易で、ユーザにとって使い勝手の良い電子カメラ装置を提供できる。
【図面の簡単な説明】
【００４８】
【図１】本発明の実施例１に係る電子カメラ装置の斜視図。
【図２】本発明の実施例１に係る電子カメラ装置の回路ブロック図。
【図３】本発明の実施例１に係る電子カメラ装置におけるデータ記録時の消費電力を示す図。
【符号の説明】
【００４９】
１００・・・電子カメラ装置
１０１・・・撮像レンズ
１０２・・・ＣＣＤ撮像部
１０３・・・Ａ／Ｄ変換部
１０４・・・ＣＣＤ信号処理部
１０５・・・メモリコントローラ
１１０・・・ＣＰＵ
１１２・・・メモリカード
１１９・・・ＨＤＤ
１２０・・・バッファメモリ
【図１】
2006107547.tif 000003
【図２】
2006107547.tif 000004
【図３】
2006107547.tif 000005